Podtech/llm-jp-corpus-v4-ja_patent huggingface dataset:
(57)【要約】【課題】  本発明は、右利き用のアコスティックギターのブリッジに傾き変換サドルを取付、左利き用としてアコスティックギターを弾けるようにした、傾き変換サドルを提供する。【解決手段】  アコスティックギターのブリッジ（２）にあるサドル入れの縦穴（３）に傾き変換サドルを差し込むことを特徴とする。【選択図】図１
2019113812.tif 000002
【特許請求の範囲】
【請求項１】
アコスティックギターのブリッジ（２）にあるサドル入れの縦穴（３）に傾き変換サドルを差し込んだ、傾き変換サドル。
【請求項２】
右利き用アコスティックギターのブリッジ（２）にあるサドル入れの縦穴（３）に傾き変換サドルを差し込んだ、請求項１記載の傾き変換サドル。
【発明の詳細な説明】
【技術分野】
【０００１】    本発明は、右利き用のアコスティックギターのブリッジに傾き変換サドルを取付、左利き用としてアコスティックギターを弾けるように傾きを左利き用にした、傾き変換サドルに関するものである。
【背景技術】
【０００２】    従来のアコスティックギターは主に右利き用と左利き用と利き腕によって異なる設計がなされている。そのためナットやサドルも右利き用と左利き用とでは異なる。そのことから右利き用のギターを左利き用として使用する場合、ナットとサドルをそれぞれ上下が逆になるように自作すれば使えることになる。
【発明の概要】
【発明が解決しようとする課題】
【０００３】    これは次のような欠点があった。
一部のアコスティクギター（主にスチール弦を張ったギター）ではサドルが斜めになるようにブリッジ内に配置されており、サドルをそのまま上下を逆さにしただけでは使えず、ブリッジの交換が必要であった。
本発明は、以上のような欠点をなくすために、なされたものである。
【課題を解決するための手段】
【０００４】    アコスティックギターのブリッジ（２）にあるサドル入れの縦穴（３）に傾き変換サドルを差し込む。
本発明は、以上の構成よりなる傾き変換サドルである。
【発明の効果】
【０００５】  傾き変換サドルを取り付けたことで右利き用に作られた傾きが左利き用に合う傾きに変わり、ブリッジを交換しないですむ。左利き用のギターは右利き用に比べ種類も少なかったが、左利きギター奏者に選択の幅を増やすことができる。
【図面の簡単な説明】
【０００６】
【図１】  本発明の斜視図である。
【図２】  本発明の平面図である。
【図３】  本発明の底面図である。
【図４】  右利き用アコスティックギターのブリッジ周辺の拡大平面図である。
【図５】  右利き用アコスティックギターのブリッジ周辺の拡大平面図でサドルを外した状態図である。
【発明を実施するための形態】
【０００７】    以下、本発明を実施するための形態について説明する。
右利き用のアコスティックギターの傾きがあるサドルに傾き変換サドルを差し込む。
本発明は、以上のような構造である。
他の実施例として、左利き用のアコスティックギターを右利き用として使用する場合も右利き用に調整した傾き変換サドルを差し込むことで同様の効果が得られる。
【符号の説明】
【０００８】    １  サドル
２  ブリッジ
３  サドル入れの縦穴
【図１】
2019113812.tif 000003
【図２】
2019113812.tif 000004
【図３】
2019113812.tif 000005
【図４】
2019113812.tif 000006
【図５】
2019113812.tif 000007
(57)【要約】【課題】  従来の技術は、脱臭した空気を外へ排出するものであり、完全に脱臭することが難しく、外へ臭いが多少排出される。また、吸煙者が吸引する副流煙を減少させるもので、本発明とは目的・機能効果が異なるものである。【解決手段】  ＢＯＸ内を仕切り部にて２室に分け、一室を喫煙室、もう一室を空調室とし、喫煙室には外気を流入させる流入口と、後述する吸引機から伸びる吸引ホースを設けると共に、空調室には吸引ホースを設けた吸引機と、この吸引機から排出される煙を送る送風ホースを連結した水タンクと、との水タンク内にオゾンエアーを爆気し、オゾン水を生成するオゾンエアー発生機とからなることを特徴とする。【選択図】図１
2019113300.tif 000002
【特許請求の範囲】
【請求項１】
ＢＯＸ内を仕切り部にて２室に分け、一室を喫煙室、もう一室を空調室とし、喫煙室には外気を流入させる流入口と、後述する吸引機から伸びる吸引ホースを設けると共に、空調室には吸引ホースを設けた吸引機と、この吸引機から排出される臭気を送る送風ホースを連結した水タンクと、この水タンク内にオゾンエアーを爆気し、オゾン水を生成するオゾンエアー発生機とからなることを特徴とする脱臭機能付喫煙室。
【請求項２】
前記水タンク内から発生する排気エアーは、再度前記喫煙室内に戻すべく、連通ホースにて仕切り部から前記喫煙室内に放出し、循環させることを特徴とする請求項１記載の脱臭機能付喫煙室。
【請求項３】
オゾン水内に臭気を溶解させた臭気溶解水は、定期的に交換することを特徴とする請求項１又は２記載の脱臭機能付喫煙室。
【発明の詳細な説明】
【技術分野】
【０００１】  本発明は、脱臭機能付喫煙室に関するものである。
【背景技術】
【０００２】  従来の技術としては、ガスや臭いを水に取り込み、周囲に悪臭を撒き散らすことない上に水を節約するもので、放熱板を設けた吸気管で熱を奪い、密閉型インペラー部に悪臭を含むガスを取り込み水の中に効率よく溶解させ、これに同構成のオゾン処理部を設け、悪臭を含むガス成分を酸化反応で水中分解する脱臭装置がある。（特許文献１参照）【０００３】  また、別の従来技術として、喫煙者と非喫煙者とを分離して非喫煙者がたばこの煙から受ける被害を防止するために設けられる喫煙ブースであって、該喫煙ブース内の喫煙者の直立もしくは中腰状態での胸の高さレベルに配設された灰皿、もしくは灰皿を載置するテーブルと、前記灰皿の上面から所定の距離離れた直上の位置まで天井から垂設された吸引筒とを備えてなり、かつ該吸引筒の下部開口部は、灰皿に置いた、もしくは喫煙者が手に持ったたはこから立ち上がる煙を吸引する下側吸気部とされ、また、前記吸引筒の上部側面には多数の孔が穿設されて上側吸気部とされ、そして前記吸引筒の上部開口部は排気ダクトに接続されてなることを特徴とする喫煙ブースがある。（特許文献２参照）
【先行技術文献】
【特許文献】
【０００４】
【特許文献１】特開２００５−４０７７７号公報
【特許文献２】特開２０１０−１５０７５９号公報
【発明の概要】
【発明が解決しようとする課題】
【０００５】  上記前者は、脱臭した空気を外へ排出するものであり、完全に脱臭することが難しく、外へ臭いが多少排出される。【０００６】  また、上記後者は、吸煙者が吸引する副流煙を減少させるもので、本発明とは目的・機能効果が異なるものである。【０００７】  本発明は、このような従来の構成が有していた問題を解決しようとするもので、喫煙室の煙をオゾン水で脱臭すると共に、排気エアーは再度オゾン水で処理し、外部にはたばこ臭が排出されない脱臭機能付喫煙室を提供することを目的とする。
【課題を解決するための手段】
【０００８】本発明は、上記目的を達成するために、ＢＯＸ内を仕切り部にて２室に分け、一室を喫煙室、もう一室を空調室とし、喫煙室には外気を流入させる流入口と、後述する吸引機から伸びる吸引ホースを設けると共に、空調室には吸引ホースを設けた吸引機と、この吸引機から排出される臭気を送る送風ホースを連結した水タンクと、この水タンク内にオゾンエアーを爆気し、オゾン水を生成するオゾンエアー発生機とからなること。前記水タンク内から発生する排気エアーは、再度前記喫煙室内に戻すべく、連通ホースにて仕切り部から前記喫煙室内に放出し、循環させること。オゾン水内に臭気を溶解させた臭気溶解水は、定期的に交換することを特徴とする。
【発明の効果】
【０００９】１）、喫煙室と空調室を一体的に設け、オゾン水内にたばこの臭気を爆気することによりたばこ臭を除去し、除去した排気エアーを再度喫煙室内に戻し、循環させることにより、外部にたばこ臭を放出することなく、喫煙室内のエアーもきれいにすることができる。
【図面の簡単な説明】
【００１０】
【図１】  本発明の脱臭機能付喫煙室の構成図。
【発明の実施するための形態】
【００１１】  １は、脱臭機能付喫煙室である。
２はＢＯＸで、板状の仕切り部３で喫煙室４と空調室５の２室に分けてあり、喫煙室４の下部に外気流入口４ａを設けてある。
６は、喫煙室４の天井部に取り付けた流入口である。
７は、吸引ホースである。
８は、吸引機で、内部にスモークフィルター（煙を除去するもの）を設けてある。
９は、送風ホースである。
１０は、水タンクである。
１１は、水タンク内にオゾンエアーを爆気し、オゾン水を生成するオゾンエアー発生機である。
１２は、水タンク１０から排出された排気エアーを再度喫煙室４内に戻すための排気ホースである。
【００１２】  つぎに、脱臭機能付喫煙室１の使用例について述べる。
まず、喫煙室４内に喫煙者ＫＳが入りたばこＴを吸うことにより吸引機８及びオゾンエアー発生機１１が作動する。
その後、たばこＴの煙Ｋが流入口６より吸い込まれ吸引ホース７及び送風ホース９を通って水タンク１０内に送られる。（爆気）
この時、スモークフィルターにて煙を除去した臭気のみが送られる。
同時にオゾンエアー発生機よりオゾンエアーＯを水タンク１０内に爆気処理することにより、煙の臭いや成分を水内に溶解させる。
この時、水タンク１０より排気される排気エアーＡを、排気ホース１２を通って再度喫煙室４内に送り込み、これらを循環させるものである。
なお、外気流入口４ａにより、外気を自然流入させる。
【００１３】  上記実施例において、水タンク内の水の入れ換えは、使用頻度により必要に応じて行うものである。
また、吸引機・オゾンエアー発生機の性能（スペック等）は、ＢＯＸの大きさ等により決めればよい。
さらに、ＢＯＸも常設から仮設まで色々考えられるものである。
【符号の説明】
【００１４】１―――脱臭機能付喫煙室
２―――ＢＯＸ
３―――仕切り部
４―――喫煙室
５―――空調室
６―――流入口
７―――吸引ホース
８―――吸引機
９―――送風ホース
１０――水タンク
１１――オゾンエアー発生機
１２――排気ホース
Ｋ―――煙
ＫＳ――喫煙者
Ａ―――排気エアー
【図１】
2019113300.tif 000003
(57)【要約】【課題】従来、銀行ネットバンクダイレクト（個人用）でパソコンのホームページ初画面をあける時、ご利用カードの見やすい表示番号を見て一文字一文字入力していた。これだと時間がかかり、めんどうで、番号が何らかの形で他人に知られたならば、他人の口座をかってにあけて、残高をみられてしまうことになる。【解決手段】銀行ネットバンクダイレクトホームページ初画面ユーザＩＤ、確認番号入力を自動入力化し、手入力できないようにかえた上で、ご利用カードの表示をやめて、ユーザＩＤ、確認番号を自動送信機に入力しておいて、送信ボタンを１回おせば、自動的に入力が完了するような形にする。【選択図】図１
2019145056.tif 000002
【特許請求の範囲】
【請求項１】
銀行用ネットバンクダイレクト（個人用）ホームページ初画面に使うユーザＩＤ、確認番号自動送信機で機械表面に番号表示のないもの
【発明の詳細な説明】
【技術分野】
【０００１】本発明は、銀行のネットバンクダイレクト（個人用）の登録番号に関する。
【背景技術】
【０００２】従来、銀行のネットバンクダイレクト（個人用）の口座開設が終了したら、郵送で２週程度以内にキャッシュカードのようなユーザＩＤ、確認番号を表示したものがおくられてくる。
ネットバンクダイレクトの初画面は、このカードを見て、ユーザＩＤ、確認番号を一文字一文字入力することになる。
【発明の概要】
【発明が解決しようとする課題】
【０００３】銀行ネットバンクダイレクト初画面において、ユーザＩＤ、確認番号をカードの番号表示をいちいち見ながら入力するのは、時間がかかり、誤ちをおかす可能性もある。又、スマホなどによるのぞき見により、他人にユーザＩＤ、確認番号をみられたならば、他人のホームページの残高照会が自由に開けてしまう。
【課題を解決するための手段】
【０００４】銀行ホームページネットバンクダイレクト（個人用）の初画面において、ユーザＩＤ、確認番号を自動送信できる機械を導入することにより、ユーザＩＤ、確認番号をご利用カードに表示しないで、他人に知られることなく、わざわざ入力する手間を省いて、入力を完了することができる。
この自動送信機の作成によって、ホームページをあけることができるのは本人だけに限ることができる。これにより、他人が残高を知ってぬすもうとする気もちをそぐことが可能になる。
ただし、ホームページを長くあけたままにすれば、家の中をのぞき見して、他人の残高を知ることはできる。
【発明の効果】
【０００５】銀行ネットバンクダイレクトホームページ（個人用）初画面を自動入力化し、自動送信機によって入力を完了できれば、他人がご利用カードの番号を知ることはなく、他人の口座をあけて残高をみることはできなくなる。
【図面の簡単な説明】
【０００６】
【図１】本発明の実施形態を示す自動送信機正面図
【発明を実施するための形態】
【０００７】銀行ホームページの初画面のお客様のユーザＩＤ、確認番号欄は、自己入力することができず、自動送信機によって送信ボタンをおすことにより入力を実現する。
【０００８】自動送信機の正面には、氏名、銀行名と、送信ボタンが２こあるだけで、表面にご利用カードのように番号が記入されていない。
このことにより、他人に番号を知られずに、本人だけが本人の口座残高を知ることができる。
【符号の説明】
【０００９】１  ご利用カードに記載されていたユーザＩＤを表示しないで、自動送信ボタンにかえた    （ユーザＩＤ自動送信ボタン）
２．確認番号自動送信ボタン
３．１と２を押したとき、各々点灯し、送信中である旨を表示する点灯明
【図１】
2019145056.tif 000003